(57)【要約】【課題】  便器本体の前後方向の長さを短くすることにより、更なる省スペース化を行なうことができるターントラップ式の水洗便器装置を提供することにある。【解決手段】  前端部が便器本体のボウル部１から延出される排水管部２に接続されるトラップ部１０の終端をアーム部材１６の駆動により回転させて前記排水管部２と外部排水管４０とを連通させるトラップ機構をケース体３内に収容したターントラップ式の水洗便器装置であって、前記トラップ機構は、前記トラップ部１０の終端１２が駆動手段により便器本体の前後方向を回転軸として上下に回転駆動する。【選択図】  図１
2005213764.tif 000002
【特許請求の範囲】
【請求項１】
前端部が便器本体のボウル部から延出される排水管部に接続されるトラップ部と、便器後方のケース体内に収容されて、前記トラップ部の終端を駆動手段により上下に回転させて前記排水管部と外部排水管とをケース体を介して連通させるトラップ機構を具備したターントラップ式の水洗便器装置であって、
前記トラップ機構は、前記トラップ部の終端が駆動手段により便器本体の前後方向を回転軸として上下に回転駆動するものであることを特徴とするターントラップ式の水洗便器装置。
【請求項２】
前記駆動手段は、前記トラップ部に連結して前記トラップ部の終端を回転させるアーム部材と、回転制御可能であって前記アーム部材を回転駆動するモータとを具備することを特徴とする請求項１に記載のターントラップ式の水洗便器装置。
【請求項３】
前記トラップ機構と連通する前記外部排水管の排水口がケース体外部の側方に形成され、前記便器本体の側方には、前記配水管とケース体内部とを連通させる排水路を形成した中継部材を有することを特徴とする請求項１もしくは請求項２のいずれかに記載の水洗便器装置。
【発明の詳細な説明】
【技術分野】
【０００１】
本発明は、ターントラップ式の水洗便器装置に関するものであって、より詳しくは、トラップ部を反転回動させることによって排水と封水の切り換えができるようにしたターントラップ式の水洗便器装置に関するものである。
【背景技術】
【０００２】
従来のターントラップ式の水洗便器装置としては、図３に示すような便器本体のボウル１から延びる排水路にトラップ部３０を配設した水洗便器装置であって、トラップ部３０が、回転軸３１上に支持され、自由端とした終端が上下方向に回転及び反転自在とされるとともに、トラップ部３０は、外部配水管４０に連通するケース体３の内部に収容され、回転軸３１には駆動源が接続されるものが知られている。この水洗便器装置では、ボウル１の底部の排水口１ａから便器後方に向かって排水管部２が延びており、この排水管部２の終端と外部排水管４０に接続される便器底部の排出口５との間には、蛇腹状の伸縮及び屈曲自在なホースで形成されたトラップ部３０が設けられており、このトラップ部３０として設けられたホースは、排出口５に連通する内部空間を有するケース体３に収容され、これらの排水管部２、トラップ部３０、ケース体３及び排出口５によって水洗便器の排水路が形成されている。このような構成とすることで、ポンプ給水方式の水洗便器装置では必要不可欠であったロータンクの省略が可能となり、水洗便器装置の構成を簡略化することができ、その結果限られたトイレ空間であっても設備に制約が課せられることがなく、トイレ空間の有効利用を図ることができる（特許文献１）。
【０００３】
しかし、上述ような水洗便器装置では、トラップ部３０の回転軸３１が水洗便器装置の前後方向に対して直角であるため、トラップ部３０は後方のスペースに向かって回転し、そのため、設置スペースとの関係で更なる省スペース化を行なう必要がある場合には、その対応が困難であるという問題があった。
【特許文献１】特開平９−２５６４４７号公報
【発明の開示】
【発明が解決しようとする課題】
【０００４】
本発明は、このような点に鑑みてなされたものであり、その目的とするところは、便器本体の前後方向の長さを短くすることにより、更なる省スペース化を行なうことができるターントラップ式の水洗便器装置を提供することである。
【課題を解決するための手段】
【０００５】
上記した課題を解決するために、本発明の請求項１に係るターントラップ式の水洗便器装置は、前端部が便器本体のボウル部から延出される排水管部に接続されるトラップ部と、便器後方のケース体内に収容されて、前記トラップ部の終端を駆動手段により上下に回転させて前記排水管部と外部排水管とをケース体を介して連通させるトラップ機構を具備したターントラップ式の水洗便器装置であって、前記トラップ機構は、前記トラップ部の終端が駆動手段により便器本体の前後方向を回転軸として上下に回転駆動するものであることを特徴とする。
【０００６】
本発明の請求項２に係るターントラップ式の水洗便器装置は、前記駆動手段は、前記トラップ部に連結して前記トラップ部の終端を回転させるアーム部材と、回転制御可能であって前記アーム部材を回転駆動するモータとを具備することを特徴とする。
【０００７】
本発明の請求項３に係るターントラップ式の水洗便器装置は、前記トラップ機構と連通する前記外部排水管の排水口がケース体外部の側方に形成され、前記便器本体の側方には、前記配水管とケース体内部とを連通させる排水路を形成した中継部材を有することを特徴とする。
【発明の効果】
【０００８】
本発明の請求項１に係るターントラップ式の水洗便器装置によると、トラップ機構は、前記トラップ部の終端が駆動手段により便器本体の前後方向を回転軸として上下に回転駆動するものであるので、汚物や洗浄水を排出する際のトラップ部の終端も便器本体の前後方向を回転軸として回転及び反転自在に構成され、便器本体の前後方向に対して直角な面上を回転するため、便器本体の後部にトラップ部を回転させるためのスペースを設ける必要がなくなる。そのため、便器本体の前後方向の長さを短くすることができ、ターントラップ式の水洗便器装置の更なる省スペース化を行なうことができる。
【０００９】
本発明の請求項２に係るターントラップ式の水洗便器装置によると、上述した請求項１の効果に加えて、トラップ部の終端の駆動手段は、トラップ部に連結してトラップ部の終端を回転させるアーム部材と、回転制御可能であってこのアーム部材を回転駆動するモータとを具備するものであるので、モータの回転駆動を制御することによりアーム部材を介してトラップ部の回転を制御でき、トラップ部の終端の回転制御を簡単な構造で、容易に行うことができる。
【００１０】
本発明の請求項３に係るターントラップ式の水洗便器装置によると、上述した請求項１の効果に加えて、前記トラップ機構と連通する前記外部排水管の排水口がケース体外部の側方に形成され、前記便器本体の側方には、前記配水管とケース体内部とを連通させる排水路を形成した中継部材を有するので、トラップ部の幅方向への回転に対応してケース体の幅を広げる必要が無く、従来の便器本体の幅を保ったままで前後方向の長さを短くすることができる。
【発明を実施するための最良の形態】
【００１１】
本発明の実施形態を図１及び図２に基づいて説明する。図１及び図２において１はボウル、２は排水管部、３はケース体、３ａは受け部、５は排出口、９はモーター、１０はトラップ部、１１は回転軸部、１２は終端、１５は伝達ベルト、１６はアーム部材、１６ａは本体部、１６ｂはホース挟着部、１６ｃはプーリ―部、１７はトラップホース、１８は終端部材、２０はキャビネット、２１は排水路、４０は外部排水管である。
【００１２】
図１及び図２は、各々、本実施形態における水洗便器装置の概略を示した縦断面図及び横断面図である。図１及び図２に示すように、ボウル１の底部の排水口１ａから便器後方に向かって排水管部２が延びている。この排水管部２の終端と外部排水管４０に接続される便器底部の排出口５との間には、蛇腹状の伸縮及び屈曲自在なトラップ部１０が設けられている。トラップ部１０は、外部排水管４０に連通するシュートと呼ばれるケース体３内に収容されている。このトラップ部１０の終端１２はアーム部材１６と連結しており、アーム部材１６は、図示しない制御部に電気的に接続されて便器本体の前後方向を回転軸として回転制御されるモータ９より回転が伝搬する構成となっているので、モータ９の動作によるアーム部材１６の回転にともなって、自由端とした終端１２が便器本体の前後方向に対して直角な面上を回転及び反転自在に構成される。このように、トラップ部１０とモーター９及びモータ９の回転をトラップ部１０に伝えるアーム部材１６等からトラップ機構が形成されている。詳細については以下に述べる。
【００１３】
トラップ部１０は、蛇腹構造により屈曲柔軟性を付与したトラップホース１７と、トラップホース１７の終端１２に取付けて密着される、比較的硬質の樹脂製あるいは金属製の終端部材１８とからなる。この硬質な終端部材１８には、回転軸部１１の回転を伝えるアーム部材１６の一端部１６ａが取付け固定されている。
【００１４】
このトラップホース１７の一端は、排水管部２の終端に接続部が摺動可能に接続されて固定端としているとともに、排水管部２の終端側のケース体３には、トラップホース１７の外径に略等しい開口部が形成されており、この開口部を介してトラップホース１７は、ケース体３内に挿入され、収容されている。トラップホース１７の材質については特に制限はなく、樹脂、ゴム等の折れ曲がることなく、伸縮及び屈曲自在となる弾力性に富んだ適宜な材質を採用することができ、また本実施形態で示すような蛇腹構造でないものであってもよい。
【００１５】
トラップホース１７の他端であるトラップ部１０の終端１２は、円弧状の湾曲面が形成されており、汚水がトラップ部１０の回転方向の下方縁部より流れ出してその横方向や後方への流れ出すことを効果的に防止している。
【００１６】
アーム部材１６は、棒状の本体部１６ａ、本体部１６ａの一端部に設けられたリング状のホース挟着部１６ｂ、本体部１６ａの他端部に設けられ中心部が回転軸部１１に軸支される円盤状のプーリ―部１６ｃとから構成される。ホース挟着部１６ｂは、内周縁が半円弧状を呈して相対向する一対の枠体からなり、この２つの枠体で終端部材１８を挟み込み、両端部を螺子等で締め付けて挟着する。
【００１７】
ケース体３の底部には、便器本体の前後方向を回転軸とするシャフト９ａを備えたモータ９ａが設置されており、シャフト９ａの先端部には、シャフト９ａと一体に回転するようプーリ―１３が接続固定されている。このプーリ―１３の回転は、伝達ベルト１５によってプーリ―部１６ｂに伝達される。このプーリ―部１６ｂは中心部が回転軸部１１によって軸支されているので、モーター９が駆動してプーリ―１３が回転すると、その力が伝達ベルト１３によりプーリ―部１６ｂに伝達されて、アーム部材１６は回転軸部１１を中心に回転する。このモータ９は制御部に電気的に接続されて正逆両方向に回動可能であるため、アーム部材１６も回転軸部１１を中心に回動可能に制御することができる。
【００１８】
以上のような構成にすることにより、汚物を排出する際のトラップ部１０の終端１２は、便器本体の前後方向に対して直角な面上を回転するため、便器本体の後部にトラップ部１０を回転させるためのスペースを設ける必要がなくなる。そのため、便器本体の前後方向の長さを短くすることができ、ターントラップ式の水洗便器装置の更なる省スペース化を行なうことができる。
【００１９】
また、本実施形態においては、トラップ部１０の終端１２の駆動手段は、トラップ部１０に連結してトラップ部１０の終端１２を回転させるアーム部材１６と、回転制御可能であってこのアーム部材を回転駆動するモータとを具備するものであるので、モータの回転駆動を制御することによりアーム部材を介してトラップ部の回転を制御でき、トラップ部の終端の回転制御を簡単な構造で、容易に行うことができる。
【００２０】
ところで、本実施形態におけるターントラップ式の水洗便器装置において、図３で示したような従来のターントラップ式の水洗便器装置のように、排水口５をケース体３内に設置する場合には、トラップ部１０が上述のように便器本体に対して幅方向に向かって上下に回転するため、トラップホース１７の長さによっては回転するためのスペースを確保するためにケース体３の幅を広げる必要が生じ、その結果便器本体の幅が大きくなる場合が生じ得る。この場合、トラップ部１０は通常、一方の幅方向にのみ回転するので、その方向にのみ幅方向を広げて増加させるスペースを最小限にすると、便器本体の幅方向が著しく左右非対称となって使い勝手が悪くなったり、左右略等分に幅方向を大きくすれば、ケース体３内に不要なスペースが生じ、便器本体の幅がさらに大きくなることが考えられる。
【００２１】
そのため、本実施形態においては、図２に示すように、外部配水管４０の開口部である排出口５は便器本体の側方に設置されるとともに、便器本体の側方に隣接されるキャビネット２０内に包囲される構成とした。すなわち、トラップ部１０が回転する側のケース体３の側方部には、トラップ部１０が回転して終端１２から排出される汚物を受ける容器状の受け部３ａが形成されており、この受け部３ａは側方に向かって下方に傾斜しているとともに、キャビネット２０内に設置され一端が便器本体内に延出される中継部材２１と連通接続している。なお、この中継部材２１は、現地施工で排水ピッチの変化に対応可能とするために、ゴムのような可撓性部材からなるものが好適に用いられる。
【００２２】
このような構成にすることで、トラップ部１０の幅方向への回転に対応してケース体３の幅を広げる必要が無く、従来の便器本体の幅を保ったままで前後方向の長さを短くすることができる。
【００２３】
本実施形態におけるターントラップ式の水洗便器装置は、上述のようなトラップ機構が作動しない通常の状態では、トラップ部１０の終端１２が上方を向いて配置され、ボウル１の内部にこの終端１２までの高さ（給水ライン）に水が溜められ封水される。用便後にスイッチ等を介して排出動作が入力されると、図示しない電磁弁が開動作し、ここを通じてボウル１内に洗浄水が供給される。その後、制御部によりモータ９が動作し、回転軸部１１が回転してトラップ部１０の自由端を便器本体の前後方向に対して横向きに略９０°（図１における矢印の方向）回転させる。このトラップ部１０の終端１２の回転にともなってボウル１内の汚物が洗浄水とともに終端１２からケース体３内の受け部３ａに流出する。この受け部３ａは側方に向かって下側に傾斜し、中継部材２１と連通接続されているので、汚物及び洗浄水は、中継部材２１を通って外部排水管４０に向かって流出し、便器外に排出される。
【００２４】
汚物が完全に排出された後には、モータ９により回転軸部１１が逆回転し、トラップ部１０を反転させて初期状態に戻し、再び、ボウル１の内部に給水ラインまで貯水して封水する。そして、電磁弁が閉動作する。
【図面の簡単な説明】
【００２５】
【図１】本実施形態における水洗便器装置の概略を示した縦断面図である。
【図２】本実施形態における水洗便器装置の概略を示した横断面図である。
【図３】従来例を示す断面図である。
【符号の説明】
【００２６】
１    ボウル部
２    排水管部
１０  トラップ部
１２  終端
１６  アーム部材
４０  外部排水管
【図１】
2005213764.tif 000003
【図２】
2005213764.tif 000004
【図３】
2005213764.tif 000005